(57)【要約】      （修正有） 【課題】自動で高真空を保持し、操作時間を節約できる液体保存装置を有する真空保存設備を提供する。【解決手段】真空保存設備１は、ベース１１と、ベースに設置された支持部材１２と、支持部材にピン結合され、第１の吸気孔１３１を有するアーム１３を含む支持機構１０と、支持機構内に設置され、第１の吸気孔と接続する真空機構２０と、ベースに配置される液体保存装置３０とを備える。アームが液体保存装置に接触した時、真空機構が、第１の吸気孔を介して液体保存装置内の空気を吸出する。支持部材は、起動スイッチ１２１を有し、アームが液体保存装置に接触した時、起動スイッチを押し、真空機構を起動する。【選択図】図１
0003192974.tif 000002
【実用新案登録請求の範囲】
【請求項１】
ベースと、
前記ベースに設置された支持部材と、
前記支持部材にピン結合され、第１の吸気孔を有するアームを含む支持機構と、  前記支持機構内に設置され、前記第１の吸気孔と接続する真空機構と、
前記ベースに配置される液体保存装置とを含む真空保存設備であって、
前記アームが前記液体保存装置に接触した時に、前記真空機構が、前記第１の吸気孔を介して前記液体保存装置内の空気を吸出する真空保存設備。
【請求項２】
前記支持部材は、起動スイッチを有し、前記真空機構に電気的に接続し、前記アームが前記液体保存装置に接触した時、前記アームが、前記起動スイッチを押し、前記真空機構を起動する請求項１に記載の真空保存設備。
【請求項３】
前記ベースは、貯水チャンバを有し、
且つ前記真空機構は、
前記貯水チャンバ内に貯まった水を吸引するポンプと、
前記ポンプが輸送した水を受け、前記水を貯水チャンバに輸送し、且つ前記第１の吸気孔を介して前記液体保存装置内の空気を吸出する吸気機とを含む請求項１に記載の真空保存設備。
【請求項４】
前記液体保存装置は、第１の収容チャンバおよび前記第１の収容チャンバと接続された第２の吸気孔を有する保存容器を含み、
前記第１の収容チャンバは、液体を保存するのに用いられ、且つ前記保存容器が前記ベース上に配置された時、前記第２の吸気孔が、前記第１の吸気孔と接続する請求項１に記載の真空保存設備。
【請求項５】
前記保存容器は、第２の収容チャンバを更に含み、
且つ前記液体保存装置は、
前記第１の収容チャンバおよび前記第２の収容チャンバに接続された制御バルブと、
前記制御バルブのオンまたはオフを制御するのに用いられる制御スイッチとを含む請求項４に記載の真空保存設備。
【請求項６】
前記液体保存装置は、前記保存容器に設置され、前記第２の収容チャンバおよび前記制御バルブに接続された排出バルブを更に含み、
前記制御バルブがオンになった時、前記制御バルブが、前記排出バルブのオフを制御し、且つ前記制御バルブがオフ状態にある時、前記制御バルブが、前記排出バルブのオンを制御する請求項５に記載の真空保存設備。
【請求項７】
前記液体保存装置は、前記第２の収容チャンバに設置され、前記第２の収容チャンバの容積を調整するのに用いられる容量調節機構を更に含む請求項５に記載の真空保存設備。
【請求項８】
前記液体保存装置は、前記第２の収容チャンバに接続され、前記第２の収容チャンバ内の空気を調節するように用いられる気体調節機構を更に含む請求項５に記載の真空保存設備。
【請求項９】
第１の収容チャンバおよび第２の収容チャンバを含む保存容器と、
前記第１の収容チャンバおよび前記第２の収容チャンバに接続する制御バルブと、
前記制御バルブのオンまたはオフを制御するのに用いられる制御スイッチとを含み、
前記制御スイッチが前記制御バルブのオンを制御した時、前記第１の収容チャンバ内の液体が、前記第２の収容チャンバに流入する液体保存装置。
【請求項１０】
前記保存容器に設置され、前記第２の収容チャンバおよび前記制御バルブに接続された排出バルブを更に含み、
前記制御バルブがオンになった時、前記制御バルブが、前記排出バルブのオフを制御し、且つ前記制御バルブが第１のオフ状態にある時、前記制御バルブが、前記排出バルブのオンを制御する請求項９に記載の液体保存装置。
【請求項１１】
前記第２の収容チャンバに設置され、前記第２の収容チャンバの容積を調整するのに用いられる容量調節機構を更に含む請求項９に記載の液体保存装置。
【請求項１２】
前記第２の収容チャンバに接続され、前記第２の収容チャンバ内の空気を調節するように用いられる気体調節機構を更に含む請求項９に記載の液体保存装置。
【考案の詳細な説明】
【技術分野】
【０００１】
本考案は、真空保存設備に関し、特に、液体保存装置を有する真空保存設備に関するものである。
【背景技術】
【０００２】
食用油は、日常生活において不可欠の一種の食物である。一般の家庭は食用油を購買時の食用油を入れている瓶や缶で保存し、且つ用いる時に直接、容器の開閉口を開け、食用油を開き口から出している。しかしながら、一般の天然の食用油は、空気中の酸素に触れた時、迅速に変質を生じ、使用者の健康に影響を及ぼす可能性がある。
【０００３】
従来の技術に手動式の真空缶があり、使用者は、手動の方式で、真空缶のレバーを反復して動かすことで空気を真空缶内から吸出する必要がある。しかしながら、上述の真空を実行する方式は、真空缶そのものの構造に限りがあるため、吸出する空気に限りがあり、真空缶内の真空度を低くし、食用油の品質を効果的に維持することができなくなる。また、上述の真空を実行する方式は、時間と労力を費やし、使用者の不便を招く。
【考案の概要】
【考案が解決しようとする課題】
【０００４】
液体保存装置を有する真空保存設備を提供する。
【課題を解決するための手段】
【０００５】
本考案の目的は、自動的な方式で液体保存装置内の空気を吸出して真空にすることによって食用油などの液体の品質を維持でき、また液体保存装置の重量を増加させ過ぎずに使用上の利便性も提供できる真空保存設備および液体保存装置を提供することである。また、本考案は、液体の流出量を設定する設計も有し、使用者がより正確な用量を得られるようにしている。
【０００６】
上述の目的を達成するために、本考案は、支持機構、真空機構、および液体保存装置を含む真空保存設備を提供する。支持機構は、ベース、支持部材、およびアームを含む。支持部材はベース上に設置される。アームは、支持部材にピン結合され、第１の吸気孔を有する。真空機構は、支持機構内に設置され、第１の吸気孔と接続する。液体保存装置は、ベースに配置される。アームが液体保存装置に接触した時、真空機構は、第１の吸気孔より液体保存装置内の空気を吸出する。
【０００７】
上述の目的を達成するために、本考案は、保存容器、制御バルブ、および制御スイッチを含む液体保存装置を提供する。保存容器は、第１の収容チャンバおよび第２の収容チャンバを含む。制御バルブは、第１の収容チャンバおよび第２の収容チャンバに接続する。制御スイッチは、制御バルブのオンまたはオフを制御するのに用いられる。制御スイッチが制御バルブのオンを制御した時、第１の収容チャンバ内の液体は、第２の収容チャンバに流入する。
【０００８】
以上のように、真空機構を用いて液体保存装置内の空気を吸出する本考案の真空保存設備は、液体保存装置により高い真空度を持たせ、使用者の操作時間を節約することができる。また、真空機構と液体保存装置の分離の設計によって、液体保存装置の重量を減少することができ、使用者が液体保存装置を運搬しやすいようにしている。また、液体保存装置は、液体保存装置内の液体の流出量を設定し、使用者がより正確な用量を得られるようにしている。
【図面の簡単な説明】
【０００９】
【図１】本考案の一実施形態に係る真空保存設備の概略図である。
【図２】同実施形態に係る真空保存設備の別の概略図である。
【図３】同実施形態に係る液体保存装置の概略図である。
【図４】同実施形態に係る液体保存装置の動作過程を示す概略図（その１）である。
【図５】同実施形態に係る液体保存装置の動作過程を示す概略図（その２）である。
【図６】同実施形態に係る液体保存装置の動作過程を示す概略図（その３）である。
【図７】同実施形態に係る気体調節機構および容量調節機構の概略図（その１）である。
【図８】同実施形態に係る気体調節機構および容量調節機構の概略図（その２）である。
【考案を実施するための形態】
【００１０】
図１、図２は、本考案の一実施形態に係る真空保存設備１の概略図である。図２では、液体保存装置３０を真空保存設備１から取り外して移動させている。真空保存設備１は、支持機構１０、真空機構２０、および液体保存装置３０を含む。真空機構２０は、支持機構１０内に設置され、液体保存装置３０は、支持機構１０上に配置され、且つ液体の保存に用いられる。本実施形態では、上述の液体は、食用油または果汁などの食品であることができるがこれに限定されるものではない。真空機構２０は、液体保存装置３０内の空気を吸出し、液体と空気との接触による変質を抑えるのに用いられる。
【００１１】
支持機構１０は、ベース１１、支持部材１２、およびアーム１３を含む。ベース１１は、板状構造であることができる。液体保存装置３０は、ベース１１上に配置されることができる。支持部材１２は、ベース１１に設置され、ベース１１に垂直であることができる。アーム１３は、支持部材１２の上部にピン結合され、第１の吸気孔１３１を有する。
【００１２】
ベース１１は、貯水チャンバ１１１、注水口１１２、カバー１１３、および排水バルブ１１４を有することができる。貯水チャンバ１１１は、水を貯めるのに用いられる。注水口１１２は、貯水チャンバ１１１の上部に設置され、注水口１１２により水を貯水チャンバ１１１に注入することができる。カバー１１３は、注水口１１２上をカバーし、水が注水口１１２によって貯水チャンバ１１１から流出するのを防ぐ。排水バルブ１１４は、貯水チャンバ１１１の側壁に設置され、貯水チャンバ１１１の底部に隣接することができる。排水バルブ１１４を開けた時、貯水チャンバ１１１内の水を排出することができる。
【００１３】
真空機構２０は、支持機構１０内に設置され、第１の吸気孔１３１と接続される。真空機構２０は、ポンプ２１と吸気機２２を含む。ポンプ２１は、吸水ポンプであることができ、支持部材１２内に設置される。ポンプ２１は、管路Ｔ１により貯水チャンバ１１１内に貯まった水を吸引することができ、且つ管路Ｔ２により水を吸気機２２に輸送することができる。
【００１４】
吸気機２２は、吸水式吸気機であることができ、支持部材１２内に設置される。吸気機２２は、管路Ｔ２によりポンプ２１が輸送した水を受けることができ、管路Ｔ２により水を貯水チャンバ１１１内に輸送することができる。また、水が吸気機２２に流れた時、吸気機２２は、管路Ｔ３、および、アーム１３の第１の吸気孔１３１を介して液体保存装置３０内の空気を吸出する。
【００１５】
液体保存装置３０は、保存容器３１を含む。上述の保存容器３１は、第１の収容チャンバ３１１および第２の吸気孔３１２を有する。第１の収容チャンバ３１１は、液体を保存するのに用いられる。第２の吸気孔３１２と第１の収容チャンバ３１１は接続されている。液体保存装置３０がベース１１上に放置された時、第２の吸気孔３１２と第１の吸気機１３１は接続される。
【００１６】
本実施形態では、支持部材１２は、起動スイッチ１２１を有することができ、真空機構２０に電気的に接続される。図１に示されるように、アーム１３が液体保存装置３０に接触した時、アーム１３は、起動スイッチ１２１を押し、真空機構２０のポンプ２１を起動する。この時、真空機構２０の吸気機２２は、管路Ｔ３、第１の吸気孔１３１、および第２の吸気孔３１２を介して液体保存装置３０の第１の収容チャンバ３１１内の空気を吸出することによって、液体保存装置３０内の液体と空気との接触による変質を抑える。
【００１７】
アーム１３の動きによってアーム１３および支持部材１２からなる仕組が開いた時、液体保存装置３０を支持機構１０から取り外して移動させることができる。図２に示されるように、アーム１３は、ほぼ支持部材１２と平行する。また、支持部材１２の起動スイッチ１２１は、アーム１３によって押されず、この時起動スイッチ１２１は、真空機構２０に停止信号を発し、真空機構２０の動作を停止する。言い換えれば、吸気機２２は、第１の吸気孔１３１を介して空気を吸出するのを停止する。
【００１８】
液体保存装置３０を支持機構１０から取り出した時、使用者は、液体保存装置３０を好適な場所に単独に置いて用いることができ、支持機構１０と真空機構２０を一緒に運搬する必要がなく、運搬の労力を削減することができる。
【００１９】
図３は、本考案の液体保存装置３０の概略図である。液体保存装置３０の保存容器３１は、ハンドル３１３、液体注入口３１４、孔カバー３１５、第２の収容チャンバ３１６、および液体排出口３１７を更に含む。ハンドル３１３は、保存容器３１の上部に設置され、使用者が液体保存装置３０を運搬しやすいようにしている。本実施形態では、第２の吸気孔３１２は、ハンドル３１３の上部に配置され、アーム１３の第１の吸気孔１３１と接続するのによい。
【００２０】
液体注入口３１４は、第１の収容チャンバ３１１と接続され、液体を第１の収容チャンバ３１１に注入するのに用いられる。孔カバー３１５は、液体注入口３１４をカバーし、第１の収容チャンバ３１１内の液体が液体注入口３１４により液体保存装置３０の外に漏れ出すのを防ぐ。第２の収容チャンバ３１６は、第１の収容チャンバ３１１の下方に位置され、第１の収容チャンバ３１１と互いに通じている。液体排出口３１７は、保存容器３１の側壁に配置され、第２の収容チャンバ３１６の底部に隣接する。第１の収容チャンバ３１１内にある液体は、第２の収容チャンバ３１６内に流れることができ、且つ第２の収容チャンバ３１６内にある液体は、液体排出口３１７により液体保存装置３０から排出される。
【００２１】
液体保存装置３０は、制御スイッチ３２、制御バルブ３３、排出バルブ３４、容量調節機構３５、および気体調節機構３６を更に含む。制御スイッチ３２は、保存容器３１上に設置される。本実施形態では、制御スイッチ３２は、ハンドル３１３上に設置される。制御スイッチ３２は、管路Ｔ４により制御バルブ３３に接続され、且つ制御バルブ３３のオンまたはオフを制御するのに用いられる。
【００２２】
制御バルブ３３は、第１の収容チャンバ３１１および第２の収容チャンバ３１６に接続される。本実施形態では、制御バルブ３３は、第１の収容チャンバ３１１および第２の収容チャンバ３１６の間に配置される。制御バルブ３３がオフになった時、液体が第１の収容チャンバ３１１から第２の収容チャンバ３１６に流れるのを防ぐことができる。制御バルブ３３がオンになった時、液体は、第１の収容チャンバ３１１より第２の収容チャンバ３１６に流れることができる。
【００２３】
排出バルブ３４は、保存容器３１に設置され、第２の収容チャンバ３１６および液体排出口３１７に接続される。本実施形態では、排出バルブ３４は、第２の収容チャンバ３１６および液体排出口３１７の間に配置される。排出バルブ３４は、管路Ｔ５により制御バルブ３３に接続される。制御バルブ３３がオンになった時、制御バルブ３３は、排出バルブ３４のオフを制御する。制御バルブ３３が（図６に示されるように）オフ状態にある時、制御バルブ３３は、排出バルブ３４のオンを制御する。この時、液体は、排出バルブ３４および液体排出口３１７により液体保存装置３０から排出されることができる。
【００２４】
図３に示されるように、制御スイッチ３２は、ボタン３２１、第１のピストン３２２、第１のエアチャンバ３２３、および第１の弾性部材３２４を含む。ボタン３２１は、可動に保存容器３１内に設置される。本実施形態では、ボタン３２１は、ハンドル３１３の上部に設置される。アーム１３が液体保存装置３０に接触した時（図１に示されるように）、アーム１３は、制御スイッチ３２のボタン３２１をカバーすることができ、真空機構２０が起動した時に使用者が誤ってボタン３２１を押すのを防ぐ。
【００２５】
第１のピストン３２２の一端は、ボタン３２１に接続され、もう一端は第１のエアチャンバ３２３内に設置される。第１のエアチャンバ３２３は、保存容器３１内に設置され、ハンドル３１３内に配置されてもよい。第１の弾性部材３２４は、バネであることができ、第１のエアチャンバ３２３内に設置される。本実施形態では、第１の弾性部材３２４の一端は第１のピストン３２２に当接し、もう一端は第１のエアチャンバ３２３の一端に当接する。
【００２６】
ボタン３２１を押した時、第１のピストン３２２は、第１のエアチャンバ３２３の一端に向けて移動し、第１のエアチャンバ３２３内の空気を管路Ｔ４を介して制御バルブ３３に輸送する。ボタン３２１を離した時、第１の弾性部材３２４の弾力によって、ボタンおよび第１のピストンを元の位置に戻す。言い換えれば、第１のピストン３２２は、第１のエアチャンバ３２３のもう一端に向けて移動する。この時、制御バルブ３３内の空気は、管路を介して第１のエアチャンバ３２３内に吸い戻される。
【００２７】
図４〜図６は、本考案の液体保存装置３０の動作過程を示す概略図である。図３〜図４に示されるように、第１の収容チャンバ３１１および第２の収容チャンバ３１６は、第１の液体チャネル３１８によって互いに通じている。制御バルブ３３は、第２のエアチャンバ３３１、第３のエアチャンバ３３２、第２のピストン３３３、第２の弾性部材３３５、第３のピストン３３６、ストップドッグ３３７、および第３の弾性部材３３８を含む。
【００２８】
第２のエアチャンバ３３１および第３のエアチャンバ３３２は、移動方向Ｄ１に沿って配列され延伸される。第１の液体チャネル３１８は、第２のエアチャンバ３３１と第３のエアチャンバ３３２との間に配置される。第２のエアチャンバ３３１は、管路Ｔ４によって第１のエアチャンバ３２３と通じている。第２のピストン３３３は、第２のエアチャンバ３３１内に設置され、第１の液体チャネル３１８を通過して第３のエアチャンバ３３２まで伸びている。第２のピストン３３３は、第１の流通孔３３４を有する。第２の弾性部材３３５は、第２のピストン３３３に設置される。本実施形態では、第２の弾性部材３３５は、バネであることができる。第２の弾性部材３３５の一端は、第２のピストン３３３に当接し、且つもう一端は第２のエアチャンバ３３１の一端に当接する。
【００２９】
第３のピストン３３６は、第３のエアチャンバ３３２内に設置され、ストップドッグ３３７は、第３のエアチャンバ３３２の側壁に設置され、且つ第３のエアチャンバ３３２の一端と互いに分離される。第３の弾性部材３３８は、第３のエアチャンバ３３２内に設置される。本実施形態では、第３の弾性部材３３８は、バネであることができる。第３の弾性部材３３８の一端は、第３のピストン３３６に当接し、もう一端はストップドッグ３３７の一端に当接し、且つ第３のエアチャンバ３３２の一端と互いに分離される。
【００３０】
図３と図４に示されるように、第２の収容チャンバ３１６と液体排出口３１７は、第２の液体チャネル３１９によって互いに通じている。排出バルブ３４は、第４のエアチャンバ３４１、第４のピストン３４２、および第４の弾性部材３４３を含む。第４のエアチャンバ３４１は、管路Ｔ５によって第３のエアチャンバ３３２に通じている。第４のピストン３４２は、第４のエアチャンバ３４１内に設置され、第２の流通孔３４４を有する。第４の弾性部材３４３は、第４のエアチャンバ３４１内に設置される。本実施形態では、第４の弾性部材３４３は、バネであることができる。第４の弾性部材３４３の一端は、第４のピストン３４２に当接し、もう一端は第４のエアチャンバ３４１の一端に当接する。
【００３１】
図３と図４に示されるように、制御バルブ３３は、オン状態に配置され、且つ制御スイッチ３２のボタン３２１は、押されていない。この時、第１の流通孔３３４は、第１の液体チャネル３１８内に配置される。よって、第１の収容チャンバ３１１内の流体は、第１の流通孔３３４と第１の液体チャネル３１８によって、第２の収容チャンバ３１６内に流れる。また、排出バルブ３４の第４のピストン３４２は、第２の液体チャネル３１９を塞ぐため、第２の収容チャンバ３１６内の液体は、第２の液体チャネル３１９より排出されることができない。
【００３２】
ボタン３２１が半分の過程まで押された時、第１のピストン３２２は、第１のエアチャンバ３２３内の一部の空気を管路Ｔ４を介して制御バルブ３３の第２のエアチャンバ３３１内に押動する。図５に示されるように、この時、制御バルブ３３は、進行状態に配置される。第１のエアチャンバ３２３の空気は、第２のエアチャンバ３３１に送られるため、第２のエアチャンバ３３１内の第２のピストン３３３は、移動方向Ｄ１に沿って移動され、第３のピストン３３６に近接する、または、接触する。この時、第１の流通孔３４も第２のピストン３３３に伴って移動し、第１の液体チャネル３１８から離れる。言い換えれば、第２のピストン３３３は、第１の液体チャネル３１８を塞ぎ、第１の収容チャンバ３１１内の流体は、第２の収容チャンバ３１６内に流れることができなくなる。また、制御バルブ３３が進行状態に配置された時、排出バルブ３４もオフ状態にあり、第２のピストン３３３が第１の流体チャネル３１８を完全に塞いでいない時に、排出バルブ３４が開くのを防ぐ。
【００３３】
ボタン３２１が完全に押された後、第１のピストン３２２は、第１のエアチャンバ３２３の一端に隣接または当接することができ、第１のエアチャンバ３２３内のより多くの空気を管路Ｔ４を介して制御バルブ３３の第２のエアチャンバ３３１内に送ることができる。図６に示されるように、制御バルブ３３は、オフ状態に配置される。第２のピストン３３３は、第３のエアチャンバ３３２に向けて更に移動し、第３のピストン３３６を移動方向Ｄ１に沿って移動させる。第３のピストン３３６は、第３のエアチャンバ３３２のもう一端に接近するため、第３のピストン３３６は、第３のエアチャンバ３３２内の空気を管路Ｔ５を介して第４のエアチャンバ３４１に輸送し、第４のピストン３４２を開き位置に更に押動する。この時、第２の流通孔３４４は、第２の液体チャネル３１９内に配置される。よって、第２の収容チャンバ３１６内の流体は、第２の流通孔３４４と第２の液体チャネル３１９より液体保存装置３０から排出され、使用者に用いられるように提供する。
【００３４】
特に注意するのは、排出バルブ３４がオンになった時、制御バルブ３３は、オフ状態になる。よって、第１の収容チャンバ３１１内の流体は、第２の収容チャンバ３１６内に流動することができない。
【００３５】
ボタン３２１を離した時、第１のピストン３２２は、第２のエアチャンバ３３１内の空気を管路Ｔ４を介して吸い戻し、且つ第２の弾性部材３３５の弾力によって、第２のピストン３３３を元の位置に戻す。また、第３のピストン３３６は、第２のピストン３３３からの押し付けを受けないため、第３の弾性部材３３８の弾力によって第３のピストン３３６を元の位置に戻すことができる。この時、制御バルブ３３は、オン状態になることができ、第１の液体チャネル３１８は、塞がれないため、第１の収容チャンバ３１１と第２の収容チャンバ３１６は、第１の液体チャネル３１８によって通じることができる。
【００３６】
また、第３のピストン３３６は、元の位置に戻るため、第３のピストン３３６は、第４のエアチャンバ３４１内の空気を管路Ｔ５を介して吸い戻すことができる。よって、第４のピストン３４２は、第４の弾性部材３４３の弾力によって、元の位置に戻ることができる。この時、第２の液体チャネル３１９は、第４のピストン３４２に再度塞がれる。言い換えれば、制御スイッチ３２は、オフ状態である。
【００３７】
よって、ボタン３２１を離すことで、液体保存装置３０を図６で示される放出液体の状態から図３で示される保存の状態に簡単に戻すことができる。また、上述の操作は、電力を必要とせずにエネルギーを節約する効果を得ることができる。
【００３８】
図３に示されるように、容量調節機構３５は、保存容器３１の第２の収容チャンバ３１６に設置され、第２の収容チャンバ３１６の容積を調整するのに用いられる。容量調節機構３５は、保存容器３１を通過する調節ピストン３５１を含む。調節ピストン３５１の一端は、第２の収容チャンバ３１６内に配置され、もう一端は、保存容器３１の外側に配置される。よって、使用者は、調節ピストン３５１を引っ張ることで、簡単に第２の収容チャンバ３１６の容積を調節することができる。よって、第２の収容チャンバ３１６内の液体を排出する時、液体の排出量は、使用者が調整した第２の収容チャンバ３１６の容積に応じるため、使用者が正確な容量を得られるようにしている。
【００３９】
また、本実施形態では、容量調節機構３５は、中空管３５２、伸縮ケーシングチューブ３５３、およびガスケット３５４を更に含むことができる。中空管３５２は、調節ピストン３５１の一端に設置され、第２の収容チャンバ３１６と通じている。また、伸縮ケーシングチューブ３５３の一端は、第２の収容チャンバ３１６の側壁に接触し、もう一端は、中空管３５２に接触する。中空管３５２および／または伸縮ケーシングチューブ３５３によって、容量調節機構３５の全体の長さを調節することができる。もう１つの実施例では、容量調節機構３５は、複数の互いに嵌め合せられた伸縮ケーシングチューブ３５３を含むことができる。
【００４０】
ガスケット３５４は、伸縮ケーシングチューブ３５３と第２の収容チャンバ３１６の側壁との間に設置され、流体が伸縮ケーシングチューブ３５３と第２の収容チャンバ３１６の側壁との間の空隙から流れ出さないように防止する。
【００４１】
図７と図８は、本考案の容量調節機構３５および気体調節機構３６の概略図である。気体調節機構３６は、第２の収容チャンバ３１６に接続される。本実施形態では、気体調節機構３６は、容量調節機構３５に設置され、且つ第２の収容チャンバ３１６内の空気を調節するように用いられる。図８に示されるように、気体調節機構３６は、中空管３５２に設置され、中空管３５２の外側に配置される。気体調節機構３６は、定位構造３６１、浮動部材３６２、停止部材３６３、およびバネ３６４を含む。定位構造３６１は、中空管３５２に設置され、中空管３５２の外側に位置される。定位構造３６１は、定位孔３６５を有する。浮動部材３６２は、定位孔３６５内に設置される。
【００４２】
停止部材３６３は、中空管３５２に設置され、中空管３５２の内側に位置される。停止部材３６３は、浮動部材３６２を止めるのに用いられる。本実施形態では、定位構造３６１の形状および停止部材３６３によって、浮動部材３６２が定位孔３６５から外れるのを防止する。バネ３６４は、浮動部材３６２上に設置される。バネ３６４の一端は、定位構造３６１の上部に当接し、且つもう一端は、浮動部材３６２に当接する。
【００４３】
図３と図７に示されるように、中空管３５２内は、液体Ｌ１および空気Ａ１を有する。液体Ｌ１の液面Ｌ１１が浮動部材３６２より低い時、浮動部材３６２は、停止部材３６３まで落ち、且つ定位構造３６１との間に間隙Ｇ１を生じる。この時、液体Ｌ１が液体保存装置３０から排出された時、空気が定位孔３６５内の間隙Ｇ１により第２の収容チャンバ３１６に流れ込む。よって液体Ｌ１は、液体保存装置３０から持続して排出されることができる。同様に、液体Ｌ１が第１の収容チャンバ３１１から第２の収容チャンバ３１６に流れ込んでいる時、液面Ｌ１１は、徐々に上昇する。空気Ａ１は、定位孔３６５内の間隙Ｇ１により排出される。よって、液体Ｌ１は、第２の収容チャンバ３１６に持続して流れ込むことができる。
【００４４】
図３と図８に示されるように、液体Ｌ１が浮動部材３６２に接触した時、浮動部材３６２の密度は、液体Ｌ１の密度より小さいため、浮動部材３６２は、液体Ｌ１が提供する浮力によって、定位構造３６１と緊密に合わさり、定位孔３６５を塞き、液体Ｌ１が定位孔３６５より液体保存装置３０に排出するのを防止する。
【００４５】
よって、真空機構を用いて液体保存装置内の空気を吸出する本考案の真空保存設備は、液体保存装置により高い真空度を持たせ、使用者の操作時間を節約することができる。また、真空機構と液体保存装置の分離の設計によって、液体保存装置の重量を減少することができ、使用者が液体保存装置を運搬しやすいようにしている。また、液体保存装置は、液体保存装置内の液体の流出量を設定し、使用者がより正確な用量を得られるようにしている。
【００４６】
以上、実施例を示して本考案を説明しているが、当業者は、本考案の思想と技術的範囲から逸脱しない種々の修正及び変更を行い得る。実施形態および実施例は、例示的なものであるに過ぎず、本考案の範囲は、以下の請求項及びその均等のものによって規定されて保護される。
【符号の説明】
【００４７】
１  真空保存設備
１０  支持機構
１１  ベース
１１１  貯水チャンバ
１１２  注水口
１１３  カバー
１１４  排水バルブ
１２  支持部材
１２１  起動スイッチ
１３  アーム
１３１  第１の吸気孔
２０  真空機構
２１  ポンプ
２２  吸気機
３０  液体保存装置
３１  保存容器３１
３１１  第１の収容チャンバ
３１２  第２の吸気孔
３１３  ハンドル
３１４  液体注入口
３１５  孔カバー
３１６  第２の収容チャンバ
３１７  液体排出口
３１８  第１の液体チャネル
３１９  第２の液体チャネル
３２  制御スイッチ
３２１  ボタン
３２２  第１のピストン
３２３  第１のエアチャンバ
３２４  第１の弾性部材
３３  制御バルブ
３３１  第２のエアチャンバ
３３２  第３のエアチャンバ
３３３  第２のピストン
３３４  第１の流通孔
３３５  第２の弾性部材
３３６  第３のピストン
３３７  ストップドッグ
３３８  第３の弾性部材
３４  排出バルブ
３４１  第４のエアチャンバ
３４２  第４のピストン
３４３  第４の弾性部材
３４４  第２の流通孔
３５  容量調節機構
３５１  調節ピストン
３５２  中空管
３５３  伸縮ケーシングチューブ
３５４  ガスケット
３６  気体調節機構
３６１  定位構造
３６２  浮動部材
３６３  停止部材
３６４  バネ
３６５  定位孔
Ａ１  空気
Ｇ１  間隙
Ｌ１  液体
Ｌ１１  液面
Ｄ１  移動方向
Ｔ１、Ｔ２、Ｔ３、Ｔ４、Ｔ５  管路
【図１】
0003192974.tif 000003
【図２】
0003192974.tif 000004
【図３】
0003192974.tif 000005
【図４】
0003192974.tif 000006
【図５】
0003192974.tif 000007
【図６】
0003192974.tif 000008
【図７】
0003192974.tif 000009
【図８】
0003192974.tif 000010